(57)【要約】      （修正有）【課題】ズボンのしわを除去できる衣類処理装置を提供する。【解決手段】衣類処理装置はケース１０と、ケースの少なくとも一部を開閉するように構成されたドア２０と、ドアの内部にしわ除去モジュール１００を含み、しわ除去モジュールは、ドアに位置し衣類を支持する一枚の板で製作されたベースプレート１１０と、ベースプレートに結合され、ベースプレートに対して回転するプレスプレート１４０とを備え、プレスプレートがベースプレートに対して回転しながらズボンを加圧するように設けられたことにより、プレスプレートからベースプレートに加わる圧力を分散させ、ズボンの全体に均一に圧力を加えてしわを伸ばすことができる。【選択図】図１
2019205860.tif 000002
【特許請求の範囲】
【請求項１】
衣類処理装置であって、
処理チャンバーを形成するケース、
前記ケースの少なくとも一部を開閉するように構成されたドア、
前記処理チャンバー内の空気を循環させる送風ユニット、
前記送風ユニットにより循環された空気を除湿及び加熱するヒートポンプユニット、及び
前記ドアの内部に位置し、衣類に圧力を加えて衣類の皺を除去するように構成された皺除去モジュールを備えてなり、
前記皺除去モジュールは、
前記ドアに位置し、衣類を支持するように構成されたベースプレート、及び、
前記ベースプレートに対する加圧によって衣類から皺を除去するように構成されたプレスプレートを備えてなり、
前記プレスプレートは前記ベースプレートに対して、左側から右側に、又は、右側から左側に回転するように構成されたものであることを特徴とする、衣類処理装置。
【請求項２】
前記皺除去モジュールは、
前記ベースプレートの第１側と前記プレスプレートの第１側とを結合可能とし、又は、前記ベースプレートの第２側と前記プレスプレートの第２側とを結合可能とし、前記プレスプレートが回転するように構成された第１ヒンジ、
前記ベースプレートの第１側と前記プレスプレートの第１側とを結合可能とし、又は、前記ベースプレートの第２側と前記プレスプレートの第２側とを結合可能とし、前記プレスプレートが回転するように構成された第２ヒンジ、及び
前記プレスプレート及び前記ベースプレートをラッチ結合させるように構成されたラッチを備えてなり、
前記第１ヒンジ及び前記第２ヒンジが前記ベースプレートの第１側と前記プレスプレートの第１側と結合するように構成される際に、前記ラッチは前記ベースプレートの第２側又は前記プレスプレートの第２側に位置し、及び
前記第１ヒンジ及び前記第２ヒンジが、前記ベースプレートの第２側と前記プレスプレートの第２側と結合するように構成される際に、前記ラッチは前記ベースプレートの第１側又は前記プレスプレートの第１側に位置するものである、請求項１に記載の衣類処理装置。
【請求項３】
前記皺除去モジュールは、前記第１ヒンジ及び第２ヒンジの間に位置し、前記ベースプレートと前記プレスプレートの間に位置するキャップカバーをさらに備えてなる、請求項２に記載の衣類処理装置。
【請求項４】
前記皺除去モジュールは、前記第１ヒンジ、前記第２ヒンジ及び前記キャップカバーの反対側に位置する偽装カバーをさらに備えてなる、請求項２に記載の衣類処理装置。
【請求項５】
前記ベースプレートの少なくとも一部は前記ドアから所定の距離だけ分離されてなる、請求項２に記載の衣類処理装置。
【請求項６】
前記ベースプレートは、前記プレスプレートに対して前記ベースプレートを加圧する弾性力を発生させる材料を備えてなる、請求項２に記載の衣類処理装置。
【請求項７】
前記プレスプレートは、前記ベースプレートに対して前記プレスプレートを加圧する弾性力を発生させる材料を備えてなる、請求項２に記載の衣類処理装置。
【請求項８】
前記ベースプレート又はプレスプレートの少なくとも一方は衣類の縫着部を収容するように溝を成すプレス回避部を備えてなる、請求項２に記載の衣類処理装置。
【請求項９】
前記ベースプレートは、
前記ドアに固定されるベース固定部、及び
前記ベース固定部から伸び、前記ベース固定部より大きな距離だけ前記ドアから分離され、弾性力によって衣類を支持するように構成されたベース弾性板を備えてなる、請求項２に記載の衣類処理装置。
【請求項１０】
前記ベース固定部は衣類の縫着部を収容するように溝を成すプレス回避部を備えてなる、請求項９に記載の衣類処理装置。
【請求項１１】
前記ベース固定部は、前記ドア側に突出して前記ドアによって支持され、前記ドアから前記ベース固定部を分離するように構成された締結部を備えてなる、請求項９に記載の衣類処理装置。
【請求項１２】
前記ベースプレートは前記プレスプレートによって加圧されることによって前記締結部を中心に所定角度だけ回転するように構成されてなる、請求項１１に記載の衣類処理装置。
【請求項１３】
前記ベース弾性板は、
前記ベース固定部の左側に伸びる左側ベース弾性板、及び
前記ベース固定部の右側に伸びる右側ベース固定板を備えてなる、請求項９に記載の衣類処理装置。
【請求項１４】
前記プレスプレートは衣類を前記処理チャンバー側に露出させるように構成された開口部を形成する、請求項９に記載の衣類処理装置。
【請求項１５】
衣類処理装置であって、
処理チャンバーを形成するケース、
前記ケースの少なくとも一部を開閉するように構成されたドア、
前記処理チャンバーにスチームを提供するスチームユニット、及び
前記ドアの内部に位置し、衣類に圧力を加えて衣類の皺を除去するように構成された皺除去モジュールを備えてなり、
前記皺除去モジュールは、
前記ドアに位置し、衣類を支持するように構成されたベースプレート、及び
前記ベースプレートに対する加圧によって衣類から皺を除去するように構成されたプレスプレートを備えてなり、
前記プレスプレートは前記ベースプレートに対して、左側から右側に、又は、右側から左側に回転するように構成されたものであることを特徴とする、衣類処理装置。
【発明の詳細な説明】
【技術分野】
【０００１】
本発明は衣類処理装置に関するものである。
【背景技術】
【０００２】
衣類処理装置は家庭内又はランドリーなどで衣類の洗濯、乾燥、皺（しわ）改善などのように衣類を管理するためのあらゆる装置を意味する。
【０００３】
例えば、衣類処理装置は、衣類の洗濯のための洗濯機、衣類の乾燥のための乾燥機、洗濯機能と乾燥機能を兼ねる乾燥兼用洗濯機、衣類のリフレッシュのためのリフレッシャー（Ｒｅｆｒｅｓｈｅｒ）、衣類の不要なしわを改善させるスチーマー（Ｓｔｅａｍｅｒ）などがある。
【０００４】
リフレッシャーは衣類の状態を快適で新鮮にするための装置で、衣類を乾燥させるとか、衣類に香を供給するとか、衣類の静電気発生を防止するとか、衣類のしわを改善させるなどの機能をする。
【０００５】
スチーマーは一般的に単純に衣類にスチームを供給して衣類のしわを除去する装置で、一般的なアイロンとは違い、衣類に直接熱を加えずに衣類のしわを除去する。
【発明の概要】
【発明が解決しようとする課題】
【０００６】
本発明は、ズボンのしわを除去することができるしわ除去モジュールが設けられ、前記しわ除去モジュールの開閉方向を反転させることができる衣類処理装置を提供することに目的がある。
【０００７】
また、本発明は、ズボンを掛ける時、ズボンに圧力を均一に伝達することができる衣類処理装置を提供することに他の目的がある。
【課題を解決するための手段】
【０００８】
本出願で説明する主題の革新的な面によると、衣類処理装置は、処理チャンバーを形成するケース；前記ケースの少なくとも一部を開閉するように構成されたドア；及び前記ドアの内部に位置し、衣類に圧力を加えて衣類のしわを除去するように構成されたしわ除去モジュールを含み、前記しわ除去モジュールは、前記ドアに位置し、衣類を支持するように構成されたベースプレート；及び前記ベースプレートに結合され、前記ベースプレートに対して回転するように構成され、前記ベースプレートに対する加圧によって衣類からしわを除去するように構成されたプレスプレートを含む。
【０００９】
前記衣類処理装置は次の選択的な特徴の一つ以上を含むことができる。前記ベースプレートの少なくとも一部は前記ドアから所定距離だけ分離される。前記ベースプレートは前記プレスプレートに対して前記ベースプレートを加圧する弾性力を発生させる材料を含む。前記プレスプレートは前記ベースプレートに対して前記プレスプレートを加圧する弾性力を発生させる材料を含む。前記プレスプレートは前記ベースプレートに対して上下方向又は左右方向に回転するように構成される。前記ベースプレート又はプレスプレートの少なくとも一つは衣類の縫着部を収容するように溝をなすプレス回避部を含む。
【００１０】
前記ベースプレートは、前記ドアに固定されるベース固定部；及び前記ベース固定部から伸び、前記ベース固定部より大きな距離だけ前記ドアから分離され、弾性力によって衣
類を支持するように構成されたベース弾性板を含む。前記ベース固定部は衣類の縫着部を収容するように溝をなすプレス回避部を含む。前記ベース固定部は前記ベース弾性板より前記ドアに近いように構成される。前記ベース固定部は、前記ドア側に突出して前記ドアによって支持され、前記ドアから前記ベース固定部を分離するように構成された締結部を含む。前記ベースプレートは前記プレスプレートによって加圧されることによって前記締結部を中心に所定角度だけ回転するように構成される。
【００１１】
前記ベース弾性板は、前記ベース固定部の左側に伸びる左側ベース弾性板；及び前記ベース固定部の右側に伸びる右側ベース固定板を含む。前記プレスプレートは衣類を前記処理チャンバー側に露出させるように構成された開口部を形成する。前記ベースプレートは、前記ベース弾性板及び前記ドアの間に配置され、前記ベース弾性板に弾性力を提供するように構成されたベース弾性部材をさらに含む。前記ベースプレートは、前記ベース弾性板に位置し、前記ドア側に突出し、前記ベース弾性部材の少なくとも一部を前記弾性部材固定部に連結するように構成された弾性部材固定部をさらに含む。前記ベース弾性部材はコイルスプリングであり、前記弾性部材固定部に前記コイルスプリングの少なくとも一部が連結される。
【００１２】
前記しわ除去モジュールは、前記ベースプレートの第１側に結合され、プレスプレートの第１側に結合され、前記プレスプレートが回転するように構成された第１ヒンジ；前記ベースプレートの第１側に結合され、前記プレスプレートの第１側に結合され、前記プレスプレートが回転するように構成された第２ヒンジ；及び前記ベースプレートの第２側又は前記プレスプレートの第２側に位置し、前記第１ヒンジ及び第２ヒンジの反対側に位置し、前記プレスプレート及びベースプレートをラッチ結合させるように構成されたラッチを含む。前記しわ除去モジュールは、前記第１ヒンジ及び第２ヒンジの間に位置し、前記ベースプレートと前記プレスプレートの間に位置するキャップカバーをさらに含む。前記しわ除去モジュールは、前記ベースプレートの第２側又は前記プレスプレートの第２側に位置し、前記第１ヒンジ、前記第２ヒンジ及び前記キャップカバーの反対側に位置する偽装カバーをさらに含む。
【００１３】
本出願で説明する主題の他の革新的な面によると、衣類処理装置は、処理チャンバーを形成するケース；ケースの少なくとも一部を開閉するように構成されたドア；及び前記前記ドアの内部に位置し、衣類に圧力を加えて衣類のしわを除去するように構成されたしわ除去モジュールを含み、前記しわ除去モジュールは、前記ドアに位置し、前記衣類を支持するように構成されたベースプレート；前記ベースプレートに結合され、前記ベースプレートに対して回転するように構成され、前記ベースプレートに対する加圧によって衣類のしわを除去するように構成され、衣類を前記処理チャンバーに露出させるように構成された開口部を形成するプレスプレート；前記ベースプレートの第１側及び前記プレスプレートの第１側に結合され、前記プレスプレートが回転するように構成された第１ヒンジ；前記ベースプレートの第１側及び前記プレスプレートの第１側に結合され、前記プレスプレートが回転するように構成された第２ヒンジ；及び前記ベースプレートの第２側又は及び前記プレスプレートの第２側に位置し、前記第１ヒンジ及び第２ヒンジの反対側に位置し、前記プレスプレート及び前記ベースプレートをラッチ結合させるように構成されたラッチを含み、前記ベースプレートは、前記ドアに固定されるベース固定部；及び前記ベース固定部から伸び、前記ベース固定部より前記ドアから大きな距離だけ分離され、弾性力によって前記衣類を支持するように構成されたベース弾性板を含む。
【発明の効果】
【００１４】
前記衣類処理装置は次のような効果がある。
【００１５】
一番目、ベースプレートが一枚の板で製作されるから、プレスプレートから加わる圧力
を効果的に分散させることができる利点がある。
【００１６】
二番目、プレスプレートから不均衡な圧力が加わるとき、ベースプレートが変形しながら衣類に均一に圧力を分散させることができる利点がある。
【００１７】
三番目、ベースプレートに形成された締結部を中心にベースプレートが変形又は回転することができ、これによって不均衡な圧力を解消することができる。
【００１８】
四番目、プレス回避部によって衣類の縫着部に圧力が集中することを防止することができ、これによって衣類全体に均一に圧力を加えることができる利点がある。
【００１９】
五番目、しわ除去モジュールが使用者の選択によって左側から右側の方向に開かれるとか、右側から左側の方向に開かれるように取り付けることができる効果がある。
【００２０】
六番目、ドアの開閉方向と連動してしわ除去モジュールに設けられたプレスプレートの開閉方向を選択することができる利点がある。
【図面の簡単な説明】
【００２１】
【図１】一例の衣類処理装置の斜視図である。
【図２】一例の衣類処理装置のブロック図である。
【図３】一例のサイクルアセンブリーの分解斜視図である。
【図４】一例のサイクルアセンブリーの斜視図である。
【図５】一例のしわ除去モジュールの使用状態図である。
【図６】一例のしわ除去モジュールの分解図である。
【図７】一例のベースプレートの正面図である。
【図８】一例のベースプレートの底面図である。
【図９】図５と比較してしわ除去モジュールの開閉方向が変わった一例のしわ除去モジュールの使用状態図である。
【図１０】一例のしわ除去モジュールの分解図である。
【発明を実施するための形態】
【００２２】
図１及び図２は一例の衣類処理装置を示す。図３及び図４は一例のサイクルアセンブリーを示す。
【００２３】
衣類処理装置１は、前面が開放した処理チャンバー１２０を形成するケース１０と、前記ケース１０の前面を開閉するドア２０とを含む。
【００２４】
前記ケース１０の内部は分離板１１によって上下に区画される。前記分離板１１の上側に衣類がつるされる処理チャンバー１２が形成される。前記分離板１１の下側には機械装置が設けられるサイクルチャンバー１４が形成される。
【００２５】
前記処理チャンバー１２には衣類が吊るされ、スチーム又は空気循環などによって衣類のしわを除去するとか臭いを脱臭する。
【００２６】
処理チャンバー１２の上部には衣類を掛けるハンガーが吊るされるハンガー支持棒１３が備えられる。ハンガー支持棒１３はモーターなどの駆動装置によって処理チャンバー１２内で前後、上下及び／又は左右方向に運動するように構成されることができ、このような運動は一定の周期を有する往復運動が好ましい。
【００２７】
前記処理チャンバー１２内には送風口１６及びスチーム吐出口１７が形成される。
【００２８】
一部の実施例では、送風口１６及びスチーム吐出口１７が吐出パネル１５に形成される。
【００２９】
一部の実施例では、前記送風口１６又はスチーム吐出口１７は相異なるパネルに形成可能である。一部の実施例で、前記吐出パネル１５はサイクルチャンバー１４の一部面を形成する。前記吐出パネル１５は分離板１１の後方側に位置する。前記吐出パネル１５は分離板１１と連続した面をなし、前記分離板１１に向かって傾くように配置される。
【００３０】
送風ユニット３０によって押送された空気は前記送風口１６を通じて吐き出される。
【００３１】
スチームユニット４０で生成されたスチームが前記スチーム吐出口１７を通じて吐き出される。
【００３２】
前記サイクルチャンバー１４には、前記処理チャンバー１２内の空気を循環させる送風ユニット３０と、前記処理チャンバー１２にスチームを提供するスチームユニット４０と、前記処理チャンバー１２の空気を空気調和させるヒートポンプユニット５０と、前記各ユニット３０、４０、５０を制御する制御ユニット６０とが設けられる。
【００３３】
前記送風ユニット３０、スチームユニット４０、ヒートポンプユニット５０、制御ユニット６０などのように衣類処理装置の各行程を駆動させるための機械装置の組立体を一部の実施例ではサイクルアセンブリーと定義する。
【００３４】
前記送風ユニット３０は、送風ファン３２と吸気口３４とを含む。
【００３５】
前記吸気口３４は前記送風ファン３２の吸入側に設けられ、前記処理チャンバー１２の内部空気を前記送風ファン３２に案内する。
【００３６】
前記送風ファン３２はファンの回転によって空気を流動させ、前記処理チャンバー１２から空気を吸入した後、前記ヒートポンプユニット５０に吐き出す。
【００３７】
前記スチームユニット４０は印加電源によって発熱し、後述する給水タンク７２から水を受け、水を蒸気に変換させる。生成されたスチームは処理チャンバー１２に吐き出される。
【００３８】
一部の実施例では、前記ヒートポンプユニット５０を通じて前記処理チャンバー１２に流動するように流路が形成される。
【００３９】
前記ヒートポンプユニット５０は、圧縮器、凝縮器、蒸発器及び膨脹バルブを含む冷凍サイクルで構成される。前記ヒートポンプユニット５０は、作動モードによって、前記処理チャンバー１２の内部に冷却空気又は加熱空気を吐き出すことができる。
【００４０】
一部の実施例で、前記ヒートポンプユニット５０は冷媒との熱交換によって加熱された前記凝縮器周辺の空気が前記送風ユニット３０によって処理チャンバー１２内に供給されることができる。このように、処理チャンバー１２内に供給された高温の空気はハンガー支持棒１３に吊るされた衣類を処理するのに使われる。もちろん、前記ヒートポンプユニット５０は作動せずに前記送風ユニットのみ作動する場合、処理チャンバー１２内には常温の空気が供給される。また、前記蒸発器によって冷却された空気が送風ユニット５０によって処理チャンバー１２内に供給されることも可能である。
【００４１】
前記ヒートポンプユニット５０は前記処理チャンバー１２内の水分を除湿することもできる。
【００４２】
前記サイクルチャンバー１４の前方には水を貯蔵するタンクモジュール７０が設けられる。前記タンクモジュール７０は、前記スチームユニット４０に水を供給する給水タンク７２と、前記処理チャンバー１２で生成された凝縮水を集めて貯蔵するドレインタンク７４とを含む。
【００４３】
前記給水タンク７２には前記給水タンク７２に貯蔵された水の水位を感知する給水水位センサー８１が設けられる。前記ドレインタンク７４には前記ドレインタンク７４に貯蔵された水の水位を感知するドレイン水位センサー９１が設けられる。
【００４４】
給水タンク７２の水は給水ポンプ４５によってスチームユニット４０に流動する。
【００４５】
処理チャンバー１２で生成された凝縮水は自重によって処理チャンバーの下側に流動した後、ドレインポンプ４６によってドレインタンク７４に流動する。前記ヒートポンプユニット５０で生成された凝縮水も前記ドレインポンプ４６によってドレインタンク７４に流動する。
【００４６】
前記給水ポンプ４６又はドレインポンプ４６は制御ユニット６０によって制御される。
【００４７】
一部の実施例では、前記吸気口３４の前方側にタンクモジュールフレーム７１が設けられる。
【００４８】
前記タンクモジュールフレーム７１及びドア２０の間にはタンク設置空間７３が形成される。前記タンクモジュールフレーム７１は前記分離板１１と結合して前記サイクルチャンバー１４を外部から分離させる。
【００４９】
前記タンク設置空間７３の前方側には給水タンク７２又はドレインタンク７４の中で少なくともいずれか一つと互いに干渉するタンク支持バー７５が設けられる。
【００５０】
前記タンク支持バー７５は、前記給水タンク７２又はドレインタンク７４がタンク設置空間７３から意図に反して分離されることを防止する。前記タンク支持バー７５は前記給水タンク７２及びドレインタンク７４の前方を支持する。
【００５１】
それで、ドア２０の開閉時、前記給水タンク７２及びドレインタンク７４がタンク設置空間７３から離脱することを抑制する。
【００５２】
一部の実施例で、前記給水タンク７２の下端は前記タンク支持バー７５の上端に掛けられる。前記ドレインタンク７４の下端は前記タンク支持バー７５の上端に掛けられる。
【００５３】
給水タンク７２又はドレインタンク７４の中で少なくともいずれか一つには前記タンク支持バー７５と互いに干渉するタンク支持端７９が形成される。
【００５４】
前記タンク支持端７９は凹むように陥没して形成される。
【００５５】
前記タンク支持端７９によって前記タンク支持バー７５及び給水タンク７２の前面は連続した面をなすことができる。前記タンク支持端７９によって前記タンク支持バー７５及びドレインタンク７４の前面は連続した面をなすことができる。
【００５６】
前記給水タンク７２及びドレインタンク７４はタンク設置空間７３に配置され、左右に並列配置される。前記給水タンク７２及びドレインタンク７４はドア２０の開放時に使用者に露出される。
【００５７】
前記給水タンク７２及びドレインタンク７４は使用者が引き出すことができる。
【００５８】
前記給水タンク７２及びドレインタンク７４はタンクモジュールフレーム７１から分離可能である。前記給水タンク７２及びドレインタンク７４はタンク設置空間７３に着脱可能である。
【００５９】
前記給水タンク７２は前記スチームユニット４０と連結されて水を供給し、前記ドレインタンク７４は前記処理チャンバー１２と連結され、前記処理チャンバー１２又はヒートポンプユニット５０から流入した水が貯蔵される。
【００６０】
前記ドレインタンク７４は前記給水タンク７２と機能的に同一である。前記ドレインタンク７４は前記給水タンク７２と並んで配置される。
【００６１】
前記ドア２０は、前記ケース１０の前面を開閉するドアパネル２２と、前記ドアパネル２２及びケース１０をヒンジ連結するヒンジ部２４と、前記ドアパネル２２に配置され、前記ケース１０の縁部と密着して前記ドア２０及びケース１０の間を密閉させるドアガスケット２６と、前記ドアパネル２２の内側面に配置され、前記処理チャンバー１２で生成された凝縮水を前記分離板１１に案内するドアライナー８０とを含む。
【００６２】
一部の実施例で、前記ドア２０は処理チャンバー１２及びタンク設置空間７３を同時に開閉する構造である。一部の実施例で、前記ケース１０に複数のドアが設けられることができる。よって、複数のドアが前記処理チャンバー１２又はタンク設置空間７３をそれぞれ開閉するように構成できる。
【００６３】
前記ドアライナー８０は前記処理チャンバー１２に向かって取り付けられる。
【００６４】
前記ドアライナー８０は表面に生成された凝縮水を分離板１１のドレイングリル１３に案内する。
【００６５】
前記ドアライナー８０は、前記ドアパネル２２の内側面に付着され、前記ドアパネル２２と平行に形成されたライナー部８２と、前記ライナー部８２の下端に形成され、前記処理チャンバー１２の内側に偏向するように形成されたライナーガイド部８４とを含む。
【００６６】
前記ドアライナー８０は分離板１１の上側に位置する。前記ドアライナー８０は処理チャンバー１２の前面より小さな面積で形成されることが好ましい。
【００６７】
前記ドアパネル２２を取り囲むように前記ドアガスケット２６が取り付けられることができる。前記ドアガスケット２６によって前記ドア２０及びケース１０を密閉することができる。
【００６８】
前記ドアガスケット２６は前記処理チャンバー１２及びタンク設置空間７３をそれぞれ区分して密閉することができる。
【００６９】
前記ドアガスケット２６は処理チャンバー１２で生成された凝縮水がタンク設置空間７３に流動することを遮断することができる。
【００７０】
前記ライナー部８２は前記ドアパネル２２に密着する。
【００７１】
一部の実施例で、前記ライナーガイド部８４は前記ライナー部８２と一体に形成される。一部の実施例で、前記ライナー部８２及びライナーガイド部８４は別に製作されることもできる。
【００７２】
前記ライナーガイド部８４は前記ライナー部８２から前記処理チャンバー１２側に偏向するように配置される。前記ライナーガイド部８４は丸い形状又は傾斜面に形成可能である。
【００７３】
前記ライナーガイド部８４はドア２０から処理チャンバー１２の内側に突出するように形成可能である。
【００７４】
ここで、前記ライナーガイド部８４の下端にドロップ部８６が形成される。前記ドロップ部８６はアンダーカット状に形成可能である。前記ドロップ部８６は凝縮水の液滴を増加させて下側に落下させる機能をする。
【００７５】
前記ドアガスケット２６の一部は前記ライナーガイド部８４の下側に配置できる。前記ドアガスケット２６は処理チャンバー１２の凝縮水が前記タンク設置空間７３に下がることを防止する。
【００７６】
一部の実施例では、衣類に圧力を加えてしわを除去するしわ除去モジュール１００が設けられる。前記しわ除去モジュール１００はドア２０に設けられる。一部の実施例で、前記しわ除去モジュール１００は処理チャンバー１２の内部に設けられることができる。
【００７７】
前記しわ除去モジュール１００は蒸気が供給される位置に設けられる。
【００７８】
前記しわ除去モジュール１００は、前記ドア２０の内側面に設けられる衣類１０５（例えば、ズボン）を支持するベースプレート１１０と、前記ベースプレート１１０に密着してズボン１０５を加圧するプレスプレート１４０とを含む。
【００７９】
前記ズボン１０５はハンガー部材１２０に掛けられる。前記ズボン１０５が掛けられたハンガー部材１２０はドア２０の内側に配置された支持部２５に掛けられる。
【００８０】
前記ハンガー部材１２０としては、一部の実施例で、一般的なズボンハンガーが使われる。スカーフ、マフラーなどが掛けられる場合、他の種類のハンガー部材が使われても構わない。前記ハンガー部材の形態は多様に変形可能である。
【００８１】
前記支持部２５は前記ケース１０の内側に垂直方向に多数が配置され、前記ズボンの長さによって選択される。
【００８２】
前記ベースプレート１１０は前記ドア２０に取り付けられる。前記ベースプレート１１０は前記ドアパネル２２又はドアライナー８０に取り付けられることができる。
【００８３】
前記ベースプレート１１０は弾性力を有するプレートの形状に形成される。前記ベースプレート１１０は少なくとも一部が前記ドア２０から離隔している。
【００８４】
前記ベースプレート１１０及びドア２０の離隔した空間を通じて、ドア２０に結ぶ凝縮水がライナーガイド部８４に移動することができる。
【００８５】
前記ベースプレート１１０の少なくとも一部は前記ドアライナー８０から離隔している。よって、前記ドアライナー８０に結ぶ凝縮水は衣類と接触しない。
【００８６】
一部の実施例で、前記プレスプレート１４０は弾性素材で形成可能である。すなわち、前記ベースプレート１１０を硬い素材で形成し、プレスプレート１４０を弾性素材で形成することができる。一部の実施例で、プレスプレート１４０が提供する弾性力によって衣類をベースプレート１１０に密着させることができる。
【００８７】
一部の実施例で、前記ベースプレート１１０は一枚のプレートを成形して使用する。一部の実施例で、複数のプレートを組み立てて製作することができる。
【００８８】
前記ベースプレート１１０は、ズボンの縫着部１０６が位置する部分に溝が形成される。前記ベースプレート１１０は前記縫着部１０６と干渉することを防止し、ズボンと接触する面積を極大化する。
【００８９】
前記ベースプレート１１０は、ズボンの縫着部１０６が位置する部位にプレス回避部１１１が形成される。
【００９０】
前記ベースプレート１１０は、前記ドア２０に固定されるベース固定部１１２と、前記ベース固定部１１２から伸び、前記ベース固定部１１２より前記ドア２０から離隔するように形成されたベース弾性板１１４とを含む。
【００９１】
前記ベース固定部１１２は、一部の実施例で、上下方向に長く延設される。前記ベース固定部１１２は、上側及び下側にそれぞれ締結部１１３が形成され、前記締結部１１３によって前記ドア２０と結合した状態を維持する。
【００９２】
前記ベース弾性板１１４は弾性力によって衣類を支持する。前記弾性支持によって前記ベース弾性板１１４は衣類と密着した状態を維持する。
【００９３】
前記ベース弾性板１１４は、前記ベース固定部１１２から左側及び右側にそれぞれ延設された左側ベース弾性板１１５及び右側ベース弾性板１１６からなる。
【００９４】
前記左側ベース弾性板１１５及び右側ベース弾性板１１６は素材の弾性によって前記ドア２０の方向に弾性変形することができ、外力が除去されれば、元の状態に復元することができる。
【００９５】
前記プレスプレート１４０によって前記ベースプレート１１０が押圧されるとき、前記ベースプレート１１０は前記締結部１１３を中心に所定角度だけ回転するとか拗じれるとかする変形が発生することができる。前記変形によって前記ベースプレート１１０及び前記プレスプレート１４０が均一に密着する。
【００９６】
一部の実施例で、前記ズボン１０５が配置された状態で前記プレスプレート１４０が左側から右側に回転すれば、前記左側ベース弾性板１１５に先に圧力が加わってから前記右側ベース弾性板１１６に圧力が加わる。
【００９７】
一部の実施例で、前記ベース弾性板１１４が締結部１１３を中心に左側に所定角度だけ弾性変形することによって前記ズボンに加わる圧力が分散され、よって前記ズボン全体にわたって均一に圧力を提供することができる。
【００９８】
そして、前記ベース固定部１１２は前記ベース弾性板１１４より低く配置される。前記
ベース固定部１１２は前記ベース弾性板１１４よりドア２０に近く位置し、前記ベース弾性板１１４に対して高低差をなす。
【００９９】
前記ベース固定部１１２の上側プレス回避部１１１が形成される。一部の実施例では、ベース固定部１１２及びベース弾性板１１４の高低差によって前記プレス回避部１１１が形成される。一部の実施例で、前記ベース固定部１１２に溝を形成することもできる。一部の実施例で、ズボンの縫着部１０６は前記ベース固定部１１２に位置する。
【０１００】
前記縫着部１０６は織物が重なって形成されるから、厚さが厚く形成される。上述したように、プレス回避部１１１が形成されなければ、プレスプレート１４０による圧力が縫着部１０６に集中する。この場合、ズボン全体に均一に圧力が伝達されない。
【０１０１】
一部の実施例で、前記ズボンは、縫着部１０６を除いた部分に圧力が加わる。
【０１０２】
そして、前記ベースプレート１１０及びドア２０の間にはベースプレート１１０を弾支するベース弾性部材１１８が配置される。
【０１０３】
前記ベース弾性部材１１８としては、一部の実施例で、コイルスプリングが使われる。一部の実施例で、リーフスプリングが使われることができる。また、前記ベースプレート１１０に一体に形成された素材（例えば、リブ）の弾性力によって弾性を提供することもできる。
【０１０４】
一部の実施例で、前記ベース弾性部材１１８は前記左側ベース弾性板１１５の上側及び下側、かつ前記右側ベース弾性板１１６の上側及び下側にそれぞれ配置される。
【０１０５】
一部の実施例で、前記ベースプレート１１０には前記ベース弾性部材１１８が結合される弾性部材固定部１１９が形成される。
【０１０６】
一部の実施例で、前記弾性部材固定部１１９はフック状に形成される。
【０１０７】
前記コイルスプリングの一部は前記弾性部材固定部１１９にかかって固定される。
【０１０８】
前記弾性部材固定部１１９はドア２０及びベースプレート１１０の間に形成される。前記弾性部材固定部１１９は一体に製作される。一部の実施例で、前記弾性部材固定部１１９は別個の部品で製作されてから組み立てられることができる。
【０１０９】
前記プレスプレート１４０はベースプレート１１０と対向する。
【０１１０】
前記プレスプレート１４０は前記ベースプレート１１０に対して回転することができる。一部の実施例で、前記プレスプレート１４０は水平方向に回転する構造である。一部の実施例で、前記プレスプレート１４０は上下方向に回転する構造として設けられることができる。
【０１１１】
前記プレスプレート１４０は平板状に形成される。
【０１１２】
前記プレスプレート１４０は、前記縫着部１０６との干渉を回避するためのプレス回避部１４２と、前記ベース弾性板１１４と密着するプレス部１４４とが前記プレス回避部１４２の左側及び右側にそれぞれ形成される。
【０１１３】
ここで、前記プレスプレート１４０には、スチームをズボンに供給するために開放した
開口部１４５が形成される。一部の実施例で、前記開口部１４５は前記プレス回避部１４２と重畳して配置される。一部の実施例で、前記プレス回避部１４２及び開口部１４５は別に分離されて配置できる。一部の実施例で、前記開口部１４５は前記プレス部１４４に形成されても構わない。
【０１１４】
一部の実施例で、前記開口部１４５は一つが形成される。一部実施例で、前記開口部１４５は前記プレスプレート１４０に多孔を形成することで形成してもよく、前記多孔が多様な形状又はパターンを有するように形成可能である。
【０１１５】
一部の実施例では、プレス回避部１１１、１４２が複数配置される。一部の実施例で、前記ベースプレート１１０に形成されたプレス回避部１１１又は前記プレスプレート１４０に形成されたプレス回避部１４２のいずれか一方のみ形成可能である。
【０１１６】
一方、前記プレスプレート１４０は前記ベースプレート１１０に対して回転しながら前記ズボン１０５を加圧するように設けられる。
【０１１７】
一部の実施例で、しわ除去モジュール１００は前記ベースプレートが一枚の板で製作されることで、プレスプレートから加わる圧力を効果的に分散させることができる利点がある。
【０１１８】
また、一部の実施例で、しわ除去モジュール１００は上下方向に長く延設されたベース固定部１１０にズボンの縫着部１０６を位置させるから、前記縫着部１０６に圧力が集中することを防止することができ、よってズボン１０５の全体に均一に圧力を加えてしわを効果的に伸ばす利点がある。
【０１１９】
一方、一部の実施例で、前記ドア２０はヒンジ部２４の設置位置によって左側から右側に開かれるように取り付けることもでき、右側から左側に開かれるように取り付けることもできる。
【０１２０】
したがって、前記しわ除去モジュール１００のプレスプレート１４０はドア２０の開放方向に対して対応するように右側から左側又は左側から右側に開かれることができるリバーサル構造１３０に構成される。
【０１２１】
前記ドア２０は左側から右側に開かれるように取り付けられるとかあるいは右側から左側に開かれるように取り付けられることができる。ドア２０の開かれる方向は衣類処理装置が設置される空間を効率的に用いるために、あるいは使用者の好みによって選択可能である。
【０１２２】
図１に示したように、ドアが左側から右側に開かれる場合、プレスプレート１４０は右側から左側に回転することができるように取り付けられる。
【０１２３】
これと反対に、ドアが右側から左側に開かれる場合には、プレスプレート１４０が左側から右側に回転することができるように取り付けられる。
【０１２４】
前記しわ除去モジュール１００はこのようにプレスプレート１４０の開放方向を転換させるためのリバーサル構造１３０を含む。
【０１２５】
図５、図６及び図１０は一例のしわ除去モジュールを示す。図７及び図８は一例のベースプレートを示す。図９は図５と比較して一例のしわ除去モジュールの開閉方向が変わった場合の一例のしわ除去モジュールを示す図である。
【０１２６】
前記リバーサル構造１３０は、前記ベースプレート１１０及びプレスプレート１４０の一側を結合させ、前記一側を中心に前記プレスプレート１４０を回転させる第１ヒンジ１５２及び第２ヒンジ１５４と、前記ベースプレート１１０及びプレスプレート１４０の他側に設けられ、前記プレスプレート１４０の密着時に前記プレスプレート１４０を前記ベースプレート１１０に固定させるラッチ１６０と、前記第１ヒンジ１５２及び第２ヒンジ１５４の間に配置されたキャップカバー１７０と、前記ベースプレート１１０及びプレスプレート１４０の他側に設けられる偽装カバー１８０とを含む。
【０１２７】
一部の実施例では、前記プレスプレート１４０が右側から左側に回転する設置状態を例として説明する（図１、図５及び図６参照）。
【０１２８】
前記第１ヒンジ１５２は左側上端に配置され、前記ベースプレート１１０及びプレスプレート１４０をヒンジ連結させる。
【０１２９】
前記第２ヒンジ１５４は左側下端に配置され、前記ベースプレート１１０及びプレスプレート１４０をヒンジ連結させる。
【０１３０】
前記キャップカバー１７０は前記第１ヒンジ１５２及び第２ヒンジ１５４の間に形成された空間に配置されて組み立てられる。前記キャップカバー１７０は前記ベースプレート１１０及びプレスプレート１４０の間に位置することができる。
【０１３１】
前記ラッチ（ｌａｔｃｈ）１６０は前記第１ヒンジ１５２及び第２ヒンジ１５４の反対側である前記プレスプレート１４０の他側に取り付けられる。
【０１３２】
前記ラッチ１６０は、密着時、フック結合によって前記プレスプレート１４０及びベースプレート１１０を互いに結合させる。前記フック結合した状態でさらにプレスプレート１４０がベースプレート１１０側に密着すれば、前記フック結合が解除される。前記ラッチ１６０はワンタッチフック結合をなすように構成される。
【０１３３】
前記偽装カバー１８０は前記キャップカバー１７０の反対側に位置する。
【０１３４】
前記偽装カバー１８０は第１ヒンジ１５２、第２ヒンジ１５４及びキャップカバー１７０の設置位置が使用者に露出されることを防止するための構成である。前記偽装カバー１８０は第１ヒンジ１５２、第２ヒンジ１５４及びキャップカバー１７０の設置可能位置を隠蔽する。
【０１３５】
前記偽装カバー１８０はベースプレート１１０又はプレスプレート１４０のいずれか一方に固定される。前記偽装カバー１８０はプレスプレート１４０が開かれる入口に設けられる。
【０１３６】
一部の実施例で、前記偽装カバー１８０はベースプレート１１０に設けられる。
【０１３７】
取り付けられた第１ヒンジ１５２、第２ヒンジ１５４及びキャップカバー１７０の形状と偽装カバー１８０の形状は同一である。結果として、前記しわ除去モジュール１００の左側及び右側の形状が互いに同じに形成される。
【０１３８】
図５の状態から図６の状態に反転される場合、図６及び図１０に示したように、第１ヒンジ１５２、第２ヒンジ１５４及びキャップカバー１７０をプレスプレート１４０の右側に取り付け、偽装カバー１８０を左側に取り付けることで反転を完了することができる。
【０１３９】
しわ除去モジュール１００は使用者のニーズによって開閉方向を選択して設置することができる利点がある。
【０１４０】
しわ除去モジュール１００はドア２０の開閉方向によってプレスプレート１４０の開閉方向を設定することができる。
【０１４１】
衣類処理装置は障害のある使用者又は左利きのように使用者の身体的特徴を反映してドア２０又はしわ除去モジュール１００の開閉方向を選択することができる。
【符号の説明】
【０１４２】
１０    ケース
１１    分離板
１２    処理チャンバー
１３    ドレイングリル
１４    サイクルチャンバー
２０    ドア
３０    送風ユニット
４０    スチームユニット
５０    ヒートポンプユニット
６０    制御ユニット
７０    タンクモジュール
７２    給水タンク
７４    ドレインタンク
８０    ドアライナー
８２    ライナー部
８４    ライナーガイド部
８６    ドロップ部
８７    ガスケットベース固定部
９０    凝縮水案内部材
９２    案内部材ボディー
９４    安内面
９６    結合部
１００    しわ除去モジュール
１０５    ズボン
１０６    縫着部
１１０    ベースプレート
１１１    プレス回避部
１１９    弾性部材固定部
１２０    ハンガー部材
１４０    プレスプレート
１４２    プレス回避部
１４５    開口部
１５２    第１ヒンジ
１５４    第２ヒンジ
１６０    ラッチ
１７０    キャップカバー
１８０    偽装カバー
【図１】
2019205860.tif 000003
【図２】
2019205860.tif 000004
【図３】
2019205860.tif 000005
【図４】
2019205860.tif 000006
【図５】
2019205860.tif 000007
【図６】
2019205860.tif 000008
【図７】
2019205860.tif 000009
【図８】
2019205860.tif 000010
【図９】
2019205860.tif 000011
【図１０】
2019205860.tif 000012